(57)【要約】【課題】安価に供給できて安全性も高いゴキブリ捕獲器を提供すること。【解決手段】ゴキブリの侵入口４を捕獲容器１，１A上部蓋３に有する捕獲容器１，１Ａと、容器内上部にゴキブリの脱走を防ぐための動、植物油８を塗り、また、容器内下部にゴキブリの好む誘引剤を含む液体９をいれ、容器上部に紐７（または針金）でつるすための吊り穴２個６と板磁石５を容器外部に接着したゴキブリ捕獲容器１，１Ａで構成されたものである。以上説明したように、本発明に係わるゴキブリ捕獲器にあっては、ゴキブリの食生活においてゴキブリが非常に喜ぶ好物の動植物油と生活に欠かせない水だけをゴキブリが群生している巣のちかくに配置するだけで大小のゴキブリ多数を簡単に捕獲出来、しかもゴキブリ捕獲器の点検は一ヶ月に一度でもよく、利用者には手間のかからない捕獲器である。【選択図】図１
2005210960.tif 000002
【特許請求の範囲】
【請求項１】
ゴキブリの侵入口を捕獲容器上部に有する捕獲器と、この捕獲容器内下部にゴキブリの好む誘引剤を液体に溶かした水溶液とで構成したことを特徴とするゴキブリ捕獲器。
【請求項２】
捕獲容器内上部にゴキブリの好む動物油、植物油を塗り、ゴキブリの捕獲器外への脱走を防ぐように工夫された請求項１のゴキブリ捕獲器。
【請求項３】
捕獲容器外部に磁石を接着した請求項１のゴキブリ捕獲器。
【請求項４】
捕獲容器上部に吊り穴を開け、紐または針金で吊るすことが出来るようにした請求項１のゴキブリ捕獲器。
【発明の詳細な説明】
【技術分野】
【０００１】
本発明はゴキブリ（特にチャバネゴキブリ）の侵入口を捕獲容器上部に有し、容器内上部にはゴキブリの脱走を防ぐための動植物油を塗り、容器内下部にはゴキブリの好む誘引剤を含む液体をいれ、容器外上部に磁石を接着したゴキブリ捕獲器に関するものである。
【背景技術】
【０００２】
従来、この種のゴキブリ捕獲器としては、例えば実開平２−１１１２７４号公報、実開平３−５４１７８号公報に開示されたものがある。これらはいずれも、下部にゴキブリの
侵入口を有する捕獲容器と、この捕獲容器内に設置した熱源としての電気ヒーターと、捕獲容器内の温度を検出する温度センサーと、この温度センサーの検出温度に基づき電気ヒーターへの通電を制御する制御技術とを備えている。そして、制御技術の制御により捕獲容器内をゴキブリが好む温度に保持し、この温度により誘引したゴキブリを捕獲容器内に侵入させて捕獲するやうに構成されている。
【特許文献１】実開平２−１１１２７４号公報
【特許文献２】実開平３−５４１７８号公報
【発明の開示】
【発明が解決しようとする課題】
【０００３】
前記従来のゴキブリ捕獲器は電子部分からなる温度センサーや制御装置を用いているために構造が複雑であり、製造コストが高くつくという問題点を有していると共に、万一温度センサー又は制御装置が故障すると、電気ヒーターへの通電を制御できなくなり、最悪の場合には電気ヒーターが過熱して火災を引き起こす危険性も有していた。また、捕獲容器には、その下部に設けられているゴキブリの侵入口以外の開口部が無かったので、捕獲容器内の暖かい空気が容器外へ漏れ出しにくく、したがって温度によるゴキブリの誘引効率がよくないという問題もあった。
【０００４】
本発明は以上のような問題点に鑑みてなされたものであって、安価に供給できて安全性の高いゴキブリ捕獲器の提供を目的とするものである。また、前記目的に加えてゴキブリの誘引効率に優れたゴキブリ捕獲器の提供を目的とするものである。
【課題を解決するための手段】
【０００５】
前記目的を達成するため、本発明は、ゴキブリの侵入口４を捕獲器上部蓋体３に有する捕獲器１，１Ａの容器内上部にゴキブリの脱走を防ぐための動植物油８を塗り、また、容器内下部にはゴキブリの好む誘引剤を含む液体９をいれ、捕獲器上部に紐７（または針金）でつるすための吊り穴二個６と板磁石５を容器外部２に接着したゴキブリ捕獲容器１，１Ａで構成されたものである。或いは、捕獲器上部に蓋体３の無い普通の容器１Ｂの如く動植物油８と誘引剤を含む液体９とで構成されたものもある。
【発明の効果】
【０００６】
ゴキブリが多数生息している冷蔵庫のモーター部分、その他電子レンジや水クーラーなどの熱源を発する部分の近くにゴキブリ捕獲容器に備えてなる板磁石、又は、紐にて捕獲容器を冷蔵庫の壁面に垂直に設置し、ゴキブリの好む動植物油を捕獲容器内に薄く塗り、誘引剤を含む水溶液を深さ２、３センチ位入れ、ゴキブリの巣近くに置くことにより、多数の大小のゴキブリを捕獲することが出来た。また、蓋体３の無い普通の容器１Ｂの場合ゴキブリが多数生息している通行路に置くだけでその効力を発揮することが確認された。
【０００７】
以上説明したように、本発明に係わるゴキブリ捕獲器にあっては、ゴキブリの食生活においてゴキブリが非常に喜ぶ好物の動植物油と生活に欠かせない水だけをゴキブリが群生している巣のちかくに配置するだけで大小のゴキブリ多数を簡単に捕獲出来、しかもゴキブリ捕獲器の点検は一ヶ月に一度でもよく、利用者には手間のかからない捕獲器である。従って温度センサーや制御装置又は電気ヒーターなど使用しないため故障もしないし安価なゴキブリ捕獲器である。
【発明を実施するための最良の形態】
【０００８】
以下、本発明の一実施形態に係るゴキブリ捕獲器を図面に基づいて説明する。図中に全体を符号１で示されるゴキブリ捕獲器は金属板、ビニール板などを用いて細長い直方体の箱状に形成された捕獲容器２を備えている。又は、図５の符号１Ａ、図７の１Ｂで示すように丸缶や四角なブリキ缶で構成しても良い。
【０００９】
捕獲器１の上部には蓋体３を乗せ、蓋体３にはゴキブリの侵入口４が設けられている。捕獲器１の外側上部２には板磁石５が接着され、それと直交方向の両側壁上部に捕獲器１を吊るすための吊り穴６を開け、紐７（または針金）をその中に通し、ゴキブリが好む温度２０〜３０℃の場所である冷蔵庫１１のモーター１３など温熱部分近くの上壁面に捕獲器１を設置する。捕獲器１は必ず垂直に設置する理由として捕獲器１が傾いている場合、ゴキブリが傾斜の緩やかな壁を攀じ登り捕獲器１外へと逃げ出す恐れがあるので出来るだけ垂直に設置する事が肝要である。
【００１０】
捕獲器１の内側２上部にはゴキブリが好む動、植物油８を塗り、捕獲器１の内側底部１０には誘引剤を含む水溶液９を深さ２〜３センチ程、入れている。ゴキブリの足の裏には吸盤があり、冷蔵庫１１や実験に使うガラスの垂直な壁、或いはガラスの天井でも逆さまになって走って移動することが容易に出来るがゴキブリの好む動植物油８を捕獲容器内２に薄く塗った場所では好物の動植物油８を食べるのに夢中になり、ゴキブリの足裏の吸盤が動植物油８のためにふさがれるためゴキブリは捕獲容器内下部１０に転落して誘引剤を含む水溶液９の深さ２センチの中で溺死することが実験の結果判明した。
【００１１】
また、ゴキブリ捕獲容器内２に薄く塗った動植物油８は２，３ヶ月経つても効果は変わらず、誘引剤を含む水溶液９が蒸発した状態でも薄く塗った動植物油８のためにゴキブリは脱走することも出来ず、仲間同士の食い合いのためゴキブリの羽だけの死骸が捕獲容器内底１０に一杯になっていることも多くの実験の結果判明した。
【００１２】
このゴキブリ捕獲器１の特徴はゴキブリが一度捕獲容器内に入ったら脱走不可能な点にある。そして、２０〜３０℃の場所である冷蔵庫のモーターなど温熱部分近くの壁に捕獲器１を設置するため、誘引剤を含む水溶液９が蒸発するので深さ２〜３センチまで再補充する必要があるが、仮に水溶液９が蒸発して無くなっても薄く塗った動植物油８が捕獲容器内壁面にある限りゴキブリの脱走は出来ない。なお、蓋体３のゴキブリの侵入口４はゴキブリが薄暗い場所を好み入る性質を利用したものであり、また、侵入口４が狭いので飛んで逃げることもできない。そして図７のように侵入口の小さい容器１Ｂならば蓋体３は不必要であり、従って侵入口４は蓋のない容器１Ｂそのままで利用すれば良い。蓋のない容器１Ｂで侵入口４が広すぎる場合、少しだけ隙間（侵入口）を作って蓋をしても良い。要するに電気を利用した捕獲器はゴキブリが度々出入りし、逃げ出すことも多く、２，３日に１度の点検がかかせないし、電気代も必要だが、このゴキブリ捕獲器１はそのような手間は一切いらないし、捕獲器１の点検は最初のうちは一週間に一度、後には一ヶ月に一度ゴキブリの死骸を捨てるだけで良いし、元の位置にそのまま置けば良い。また、寒い季節はモーターなど温熱部分近くの壁に捕獲器１を設置し、暖かい夏の季節にはモーターなど温熱部分から少し離れた２０℃〜３０℃の場所に設置すればよい。
【図面の簡単な説明】
【００１３】
【図１】本発明のゴキブリ捕獲器の斜視図である。
【図２】ゴキブリ捕獲器の俯瞰図である。
【図３】ゴキブリ捕獲器の横正面図である。
【図４】図１のＡ−A線における断面図である。
【図５】丸い空き缶のゴキブリ捕獲器の斜視図である。
【図６】冷蔵庫裏側に設置された実施例１のゴキブリ捕獲器斜視図である。
【図７】蓋体のないゴキブリ捕獲器の斜視図である。
【図８】図７のＢ−Ｂ線における断面図である。
【符号の説明】
【００１４】
１，１Ａ，１Ｂ    ゴキブリ捕獲器
２                捕獲容器の垂直な壁面
３                蓋体
４                ゴキブリの侵入口
５                板磁石
６                吊り穴
７                紐又は針金
８                動物油、植物油を薄く塗った場所
９                ゴキブリの誘引剤を含む水溶液
１０              捕獲容器底
１１              冷蔵庫
１２              冷蔵庫下部モーター保管空間
１３              電気モーター
１４              冷蔵庫の脚
１５              地面
【図１】
2005210960.tif 000003
【図２】
2005210960.tif 000004
【図３】
2005210960.tif 000005
【図４】
2005210960.tif 000006
【図５】
2005210960.tif 000007
【図６】
2005210960.tif 000008
【図７】
2005210960.tif 000009
【図８】
2005210960.tif 000010